(57)【要約】【課題】容易に所望の画角で適正に撮影することができるデジタルカメラを提供する。【解決手段】デジタルカメラは、被写体の撮像画像を視認するための液晶ビューファインダ、被写体の撮像画像を表示する表示部、広角側へズームするためのワイドズームボタン、望遠側へズームするためのテレズームボタン、液晶ビューファインダに表示されている画像の画角に撮影画角を設定するための画角アシストボタンを備えている。画像７２が液晶ビューファインダ７０及び表示部４６に表示されている状態で画角アシストボタンが押下され、その後ワイドズームボタンが押下されると、画像７２をワイド側にズームした画像７４が表示部に表示されると共に、画角アシストボタンが押下された時の画角を表す画角アシストフレーム７６が画面中央に表示される。液晶ビューファインダ７０には、画角アシストフレーム７６内の画像が表示される。【選択図】　　　図３
2004032524.tif 000002
【特許請求の範囲】
【請求項１】
被写体を撮像する撮像素子と、
前記被写体の撮像画像の画角を変化させると共に、前記撮像素子に前記被写体の像を結像させる光学系と、
前記被写体の像を視認するための視認手段と、
前記視認手段で視認される被写体の像の画角を、撮影画角として設定するための設定手段と、
前記撮像画像を表示すると共に、前記設定手段により前記撮影画角が設定され且つ前記光学系により前記撮影画角よりも広角側に前記撮像画像の画角が変化した場合に、表示された撮像画像上に前記撮影画角を表す枠を表示する表示手段と、
を備えたデジタルカメラ。
【請求項２】
前記視認手段は、前記撮像画像のうち、前記設定手段で設定されたときの視認画角による被写体の像が視認されるように、前記撮影画角を固定する固定手段を含むことを特徴とする請求項１記載のデジタルカメラ。
【請求項３】
前記光学系により前記設定手段により設定された撮影画角よりも望遠側に前記撮像画像の画角が変化した場合に、警告する警告手段をさらに備えたことを特徴とする請求項１又は請求項２に記載のデジタルカメラ。
【発明の詳細な説明】
【０００１】
【発明の属する技術分野】
本発明は、デジタルカメラに係り、特に、撮像画像の画角を変更するためのズーム機能を備えたデジタルカメラに関する。
【０００２】
【従来の技術】
近年、ＣＣＤ等の撮像素子を備えたデジタルカメラが数多く流通している。このようなデジタルカメラでは、撮影時には、ＣＣＤの受光面に被写体像が結像され、ＣＣＤの各センサで入射光量に応じた量の信号電荷に変換される。そして、ＣＣＤに蓄積された信号電荷を画素毎に読み取って画像データに変換し、この画像データをメモリカードなどの記録媒体に記録している。
【０００３】
また、このようなデジタルカメラにおいて、光学ズームや電子ズームにより撮像画像の画角を変更できるものがあるが、例えば特開２００１−９１８１５号公報では、指定されたズームレンズのズーム位置（画角）と、その時のフォーカスレンズのフォーカス位置を記憶しておき、シャッタースイッチがオンされると、記憶していたズーム位置にズームレンズを移動させると共にフォーカスレンズを移動させる装置が提案されている。
【０００４】
また、特開平６−７８１９８号公報には、電子ズーム機能を備え、電子ズーム枠を移動自在に設定できる撮像装置が提案されている。
【０００５】
【発明が解決しようとする課題】
被写体を撮像する場合、特に、動く被写体を撮影する場合には、いかにシャッターチャンスを逃さずに適正な画角で撮影するかが写真の出来映えを左右するが、特開２００１−９１８１５号公報に記載された技術では、予め記憶した画角に対応する位置にズームレンズやフォーカスレンズを速やかに移動させることができるものの、どの画角を記憶させていたのかを容易に確認することができない、という問題があった。また、記憶された画角に対応する位置にズームレンズやフォーカスレンズを移動させた後でしか微調整を行うことができないため、シャッターチャンスを逃す場合がある、という問題があった。
【０００６】
また、特開平６−７８１９８号公報に記載された技術では、電子ズーム枠の位置等を予め指定して設定しなければならないため操作が煩わしく、また、撮影前に実際の画角の画像を確認することができないため、適正な画角で撮影できない場合がある、という問題があった。
【０００７】
本発明はこのような事情に鑑みてなされたものであり、容易に所望の画角で適正に撮影することができるデジタルカメラを提供することを目的とする。
【０００８】
【課題を解決するための手段】
上記目的を達成するために、請求項１記載のデジタルカメラは、被写体を撮像する撮像素子と、前記被写体の撮像画像の画角を変化させると共に、前記撮像素子に前記被写体の像を結像させる光学系と、前記撮像素子により撮像されたズーム手段と、前記被写体の像を視認するための視認手段と、前記視認手段で視認される被写体の像の画角を、撮影画角として設定するための設定手段と、前記撮像画像を表示すると共に、前記設定手段により前記撮影画角が設定され且つ前記光学系により前記撮影画角よりも広角側に前記撮像画像の画角が変化した場合に、表示された撮像画像上に前記撮影画角を表す枠を表示する表示手段と、を備えたことを特徴とする。
【０００９】
この発明によれば、被写体の像を結像させる光学系により被写体の像が撮像素子に結像される。光学系は、例えば撮像素子に前記被写体の像を結像させるレンズと、撮像素子により撮像された前記被写体の撮像画像の画角を変化させるズーム手段と、により構成することができる。この場合、ズーム手段は、例えば焦点距離を可変にすることができるズームレンズを含む構成とすることができ、これにより撮像画像の画角を光学的に変化させる構成とすることができる。なお、レンズを単焦点のレンズとし、ズーム手段を撮像画像の画角を電子的に変化させる構成としてもよい。
【００１０】
視認手段は、被写体の像を視認することができ、光学式の視認手段や電子式の視認手段を用いることができる。光学ズームを採用する場合には、視認手段は、光学系のズームレンズに連動する視認用ズームレンズを含む構成とすることができる。また、電子ズームを採用する場合には、撮像素子で撮像される撮像画像を表示するための視認用表示手段を含む構成とすることができる。
【００１１】
設定手段は、視認手段で視認される被写体の像の画角を、撮影画角として設定するためのものである。ここで、撮影画角とは、被写体を撮影した画像を最終的にメモリーカード等の記録媒体に記録する画像の画角をいう。すなわち、撮影者は、視認手段で被写体を視認し、必要に応じてズームを指示するためのズーム指示手段を操作することにより視認される被写体の像の画角を変化させ、好みの画角になったところで設定手段により撮影画角を設定することができる。
【００１２】
表示手段は、撮像画像を表示する。また、表示手段は、設定手段により撮影画角が設定された状態で、光学系により撮影画角よりも広角側に撮像画像の画角が変化した場合には、表示された撮像画像上に撮影画角を表す枠を表示する。
【００１３】
これにより、設定した撮影画角の画像の周囲の状況を容易に把握することができる。従って、撮影画角の見直し等、撮影者が適正な画角で撮影するのが容易となる。また、動く被写体を撮影するような場合には、設定した撮影画角内に被写体が入ってくるのを容易に確認することができるため、シャッターチャンスを逃してしまうのを防ぐことができる。
【００１４】
なお、ここでいう枠には、単なる矩形状の枠の他、例えば撮影画角内の画像又は撮影画角外の画像に、撮影画角内の画像の明るさと撮影画角外の画像の明るさとが異なるような処理を行って撮影画角内の画像と撮影画角外の画像との境界が認識できるようにした場合に発生する枠も含む。
【００１５】
また、請求項２に記載したように、前記視認手段は、前記撮像画像のうち、前記設定手段で設定されたときの視認画角による被写体の像が視認されるように、前記撮影画角を固定する固定手段を含む構成としてもよい。
【００１６】
例えば視認手段が視認用表示手段を含む構成の場合において設定手段により撮影画角が設定された場合には、固定手段は、撮像素子で撮像された撮像画像のうち、撮影画角に相当する領域の画像を視認用表示手段に表示させる。これにより、視認手段で視認される被写体の像の画角を固定することができる。
【００１７】
また、視認手段が視認用ズームレンズを備えた構成の場合において設定手段により撮影画角が設定された場合には、固定手段は、視認用ズームレンズが光学系のズームレンズを非連動となるように制御する。これにより、視認手段で視認される被写体の像の画角を固定することができる。
【００１８】
このように、視認手段で視認される被写体の像の画角が固定されるため、表示手段では撮影画角よりも広角の画像を表示させて周囲の状況を確認すると共に、視認手段で撮影画角の画像を確認することができ、使いやすさを向上させることができる。
【００１９】
また、請求項３に記載したように、前記光学系により前記設定手段により設定された撮影画角よりも望遠側に前記撮像画像の画角が変化した場合に、警告する警告手段をさらに備えた構成としてもよい。
【００２０】
これにより、撮影者は、設定した撮影画角よりも望遠側にズームさせていることを容易に認識することができ、適正な画角での撮影を容易にすることができる。
【００２１】
また、前記視認用表示手段の表示と前記表示手段の表示とを切り替えるための切替手段をさらに備えた構成としてもよい。これにより、より使いやすさを向上させることができる。
【００２２】
【発明の実施の形態】
以下、図面を参照して本発明の実施の形態の一例を詳細に説明する。
【００２３】
図１には本発明の実施の形態に係るデジタルカメラのブロック図を示した。このカメラ１０の撮影光学系１２は撮影レンズ１４及び絞り１６を含む。撮影レンズ１４は１枚又は複数枚のレンズで構成され、例えば焦点距離可変のズームレンズで構成される。
【００２４】
撮影光学系１２を介してＣＣＤ１８の受光面に結像された被写体像は、各センサで入射光量に応じた量の信号電荷に変換される。このようにして蓄積された信号電荷は、ＣＣＤ駆動回路２０から加えられるＣＣＤ駆動パルスによって読み出され、信号電荷に応じた電圧信号（アナログ画像信号）として順次ＣＣＤ１８から出力される。
【００２５】
ＣＣＤ１８には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１８は、シャッターゲートパルスによって各センサに蓄積される電荷の蓄積時間（シャッタースピード）を制御する、いわゆる電子シャッター機能を有している。
【００２６】
ＣＣＤ１８から読み出された信号は、ＣＤＳ回路２２において相関二重サンプリング（ＣＤＳ）処理されるとともに、Ｒ，Ｇ，Ｂの各色信号に色分離処理され、各色信号の信号レベルの調整（プリホワイトバランス処理）が行われる。
【００２７】
これら所定のアナログ信号処理を経た画像信号は、Ａ／Ｄ変換器２４に加えられ、該Ａ／Ｄ変換器２４によりＲ，Ｇ，Ｂのデジタル信号に変換された後、メモリ２６に格納される。
【００２８】
タイミング信号発生回路（ＴＧ）２８は、ＣＰＵ３０からのコマンドに応じてＣＣＤ駆動回路２０、ＣＤＳ回路２２及びＡ／Ｄ変換器２４に対して適宜のタイミング信号を与えており、各回路はタイミング信号発生回路２８から加えられるタイミング信号により同期して駆動されるようになっている。
【００２９】
ＣＰＵ３０は、カメラ１０の各回路を統括制御する制御部であり、バス３２を介してゲイン調整回路３４、ガンマ補正回路３６、輝度・色差信号処理回路（ＹＣ処理回路という。）３８、圧縮伸張回路４０、メモリカード４２のカードインターフェース４４、及び表示部４６を駆動する表示用ドライバー４８等と接続されている。
【００３０】
ＣＰＵ３０は操作部５０からの入力信号に基づいて対応する回路ブロックを制御するとともに、撮影レンズ１４のズーミング動作や自動焦点調節（ＡＦ）動作の制御、並びに自動露出調節（ＡＥ）の制御等を行う。
【００３１】
操作部５０には、図２に示すように、画像の記録開始の指示を与えるレリーズボタン６２、撮影モード等を選択するためのモードダイヤル６４、テレ側すなわち望遠側へズームさせるためのテレズームボタン６６Ｔ、ワイド側すなわち広角側へズームさせるためのワイドズームボタン６６Ｗ、詳細は後述するが撮影画角を固定するための画角アシストボタン６８、その他の各種の入力手段が含まれる。
【００３２】
なお、これら入力手段は、スイッチボタン、ダイヤル、スライド式ツマミなど種々の形態があり、タッチパネルや液晶モニタ表示部の画面上において設定メニューや選択項目を表示してカーソルで所望の項目を選択する態様もある。操作部５０はカメラ本体に配設されていてもよいし、リモコン送信機としてカメラ本体と分離した構成にすることも可能である。
【００３３】
図１のＣＰＵ３０はＣＣＤ１８から出力される画像信号に基づいて、焦点評価演算やＡＥ演算などの各種演算を行い、その演算に基づいて、撮影レンズ１４及び絞り１６の駆動手段（例えば、ＡＦモータやアイリスモータ等）５２を制御してフォーカスレンズを合焦位置に移動させるとともに、絞り１６を適正絞り値に設定する。
【００３４】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、駆動手段５２を介して絞り１６を駆動するとともに、決定したシャッタースピードとなるように電子シャッターによってＣＣＤ１８の電荷の蓄積時間を制御する。したがって、カメラ１０の撮影レンズ１４を被写体に向けるだけで、最適な露出調整が行われるとともに、ピント合わせが自動的に行われる。
【００３５】
撮影記録時においては、レリーズボタンの「半押し」時に上述した測光動作を複数回繰り返して正確な撮影ＥＶを求め、この撮影ＥＶに基づいて撮影時の絞り値とシャッタースピードを最終的に決定する。そして、レリーズボタンの「全押し」時に前記最終的に決定した絞り値になるように絞り１６を駆動し、また、決定したシャッタースピードとなるように電子シャッターによって電荷の蓄積時間を制御する。なお、ＡＥ、ＡＦはＣＣＤ１８から取得される画像信号に基づいて制御する方法の他、周知の測光センサやＡＦ投光／受光センサからなる測距センサ等を用いてもよい。
【００３６】
また、このカメラ１０はストロボ発光装置５４と、調光用の受光素子５６を有し、操作部５０に含まれるストロボモード設定ボタンの操作に応じて、低輝度時にストロボ発光装置５４を自動的に発光させる「低輝度自動発光モード」、被写体輝度にかかわらずストロボ発光装置５４を発光させる「強制発光モード」、又はストロボ発光装置５４の発光を禁止させる「発光禁止モード」等に設定される。
【００３７】
ＣＰＵ３０はユーザーが選択したストロボモードに応じて、ストロボ発光装置５４のメインコンデンサの充電制御や、発光管（例えば、キセノン管）への放電（発光）タイミングを制御するとともに、受光素子５６からの測定結果に基づいて発光停止の制御を行う。受光素子５６はストロボの発光によって照らされる被写体からの反射光を受光し、受光量に応じた電気信号に変換する。受光素子５６の信号は図示せぬ積分回路により積算され、積算受光量が所定の適正受光量に達した時にストロボの発光が停止される。
【００３８】
Ａ／Ｄ変換器２４から出力されたデータは前記メモリ２６に格納されるとともに、積算回路６０に加えられる。積算回路６０は、撮影画面を複数のブロック（例えば、８×８の６４個のブロック）に分割し、各ブロック毎に受入したＧ信号の積算演算を行う。なお、Ｒ、Ｇ、Ｂのデータから輝度信号（Ｙ信号）を生成して、輝度信号の積算演算を行ってもよい。また、積算回路６０はＡＥ演算回路で兼用することもできる。積算回路６０で得られた積算値の情報（演算結果）はＣＰＵ３０に入力される。
【００３９】
ＣＰＵ３０は積算回路６０からの情報に基づき、所定のアルゴリズムに従って撮影画面の評価値Ｅを算出し、求めた評価値Ｅを用いてゲイン調整回路３４におけるゲイン値（増幅率）を決定する。ＣＰＵ３０は決定したゲイン値に従ってゲイン調整回路３４におけるゲイン量を制御する。
【００４０】
メモリ２６に記憶されたＲ、Ｇ、Ｂの画像データはゲイン調整回路３４に送られ、ここで増幅処理される。増幅処理された画像データは、ガンマ補正回路３６において、ガンマ補正処理が施された後、ＹＣ処理回路３８へ送られ、ＲＧＢデータから輝度信号（Ｙ信号）及び色差信号（Ｃｒ，Ｃｂ信号）に変換される。
【００４１】
ＹＣ処理回路３８において生成された輝度・色差信号（ＹＣ信号と略記する）は、メモリ２６に書き戻される。メモリ２６に記憶されたＹＣ信号は表示用ドライバー４８に供給され、所定方式の信号（例えば、ＮＴＳＣ方式のカラー複合映像信号）に変換されて表示部４６に出力される。表示部４６には液晶ディスプレイその他のカラー表示可能な表示装置が用いられる。なお、表示部４６はＹＣ信号入力対応のタイプのものを適用してもよいし、ＲＧＢ信号入力タイプのものを適用してもよく、表示装置に対応したドライバーが適用される。
【００４２】
ＣＣＤ１８から出力される画像信号によって画像データが定期的に書き換えられ、その画像データから生成される映像信号が表示部４６に供給されることにより、ＣＣＤ１８が捉える画像がリアルタイムに動画像（ライブ画像）として、又はリアルタイムではないが、ほぼ連続した画像として表示部４６に表示される。
【００４３】
また、デジタルカメラ１０は、図１、２に示すように液晶ビューファインダ７０を備えている。液晶ビューファインダ７０は、例えばＣＣＤ１８から出力される画像を表示するための液晶表示装置を含んで構成されている。
【００４４】
液晶ビューファインダ７０及び表示部４６は電子ビューファインダーとして利用でき、撮影者は液晶ビューファインダ７０又は表示部４６の表示画像によって撮影画角を確認することができる。
【００４５】
レリーズボタンの押下操作など所定の記録指示（撮影開始指示）操作が成されると、記録用の画像データの取り込みが開始される。
【００４６】
撮影者が操作部５０から撮影記録の指示を入力すると、ＣＰＵ３０は必要に応じて圧縮伸張回路４０にコマンドを送り、これにより圧縮伸張回路４０はメモリ２６上のＹＣデータをＪＰＥＧその他の所定の形式に従って圧縮する。圧縮された画像データはカードインターフェース４４を介してメモリカード４２に記録される。
【００４７】
非圧縮の画像データを記録するモード（非圧縮モード）が選択されている場合には、前記圧縮伸張回路４０による圧縮処理を実施せずに、非圧縮のまま画像データがメモリカード４２に記録される。
【００４８】
本実施の形態のカメラ１０は、画像データを保存する手段としてメモリカード４２が用いられている。具体的には、例えばスマートメディア等の記録メディアが適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００４９】
また、再生モード時にはメモリカード４２から読み出された画像データが圧縮伸張回路４０によって伸張処理され、表示用ドライバー４８を介して表示部４６に出力される。
【００５０】
なお、ＣＣＤ１８は本発明の撮像素子に相当し、撮影レンズ１４は本発明の光学系に相当し、液晶ビューファインダ７０は本発明の視認手段に相当し、表示部４６は本発明の表示手段に相当し、画角アシストボタン６８は本発明の設定手段に相当し、表示部４６は本発明の表示手段に相当する。
【００５１】
次に、テレズームボタン６６Ｔ又はワイドズームボタン６６Ｗの操作によりズーム指示が成された場合の液晶ビューファインダ７０及び表示部４６に表示される画像について説明する。
【００５２】
図２に示したように、画角アシストボタン６８が押下されていない状態である通常モードの場合には、液晶ビューファインダ７０に表示される画像は、表示部４６に表示される画像の画角と同一画角の画像となる。従って、テレズームボタン６６Ｔ又はワイドズームボタン６６Ｗが押下された場合には、液晶ビューファインダ７０に表示される画像は、表示部４６に表示される画像が拡大又は縮小されるのに連動して拡大又は縮小される。
【００５３】
一方、画角アシストボタン６８が押下された場合には、アシストモードとなり、その時の画角がメモリ２６に記憶される。この画角の画像が、メモリカード４２に記憶される画像となる。
【００５４】
その後、ワイドズームボタン６６Ｗが押下された場合には、その操作量（押下時間）に応じて広角側にズームされた画像（スルー画像）が液晶ビューファインダ７０に表示されると共に、画角アシストボタン６８が押下された時の画角を表す画角アシストフレームが表示される。このとき、液晶ビューファインダ７０に表示される画像（スルー画像）は、画角アシストボタン６８が押下された時の画角に固定される。すなわち、固定された画角に対応するＣＣＤ１８による撮影画像の一部の画像が液晶ビューファインダ７０に表示される。
【００５５】
これにより、撮影者は、画角アシストボタン６８を押下することにより設定した所望の撮影画角の画像の周囲の状況を表示部４６で確認することができると共に、所望の撮影画角の画像、すなわちメモリカード４２に記憶される撮影画像を液晶ビューファインダ７０で確認することができる。
【００５６】
例えば、図３に示すように、画像７２が液晶ビューファインダ７０及び表示部４６に表示されているとする。この状態で画角アシストボタン６８が押下され、その後にワイドズームボタン６６Ｗが押下されると、表示部４６には、画像７２をワイド側にズームした画像７４が表示されると共に、画角アシストボタン６８が押下された時の画角、すなわち画像７２の画角を表す画角アシストフレーム７６が画面中央に表示される。そして、液晶ビューファインダ７０には、画角アシストフレーム７６内の画像が表示される。
【００５７】
さらにワイド側へズームさせた場合には、画像７４をさらにワイド側にズームした画像７８が表示されると共に、画角アシストボタン６８が押下された時の画角を表す画角アシストフレーム７６が画面中央に表示される。すなわち、ワイド側へズームさせると、これに連動して画角アシストフレームの大きさも変化する。
【００５８】
このように、画角アシストボタン６８を押下して撮影画角を設定し、ワイドズームボタン６６Ｗを押下することにより、設定した撮影画角よりも広角の画角の画像が表示部４６に表示されると共に、設定した撮影画角を表す画角アシストフレーム７６が表示されるため、設定した撮影画角の画像の周囲の状況を確認することができる。これにより、撮影画角の見直し等、撮影者が適正な画角で撮影するのが容易となる。また、動く被写体を撮影するような場合には、設定した撮影画角内、すなわち画角アシストフレーム７６内に被写体が入ってくるのを容易に確認することができるため、シャッターチャンスを逃してしまうのを防ぐことができる。
【００５９】
一方、画像７２が液晶ビューファインダ７０及び表示部４６に表示されている状態で画角アシストボタン６８が押下され、その後テレズームボタン６６Ｔが押下された場合には、図３に示すように、表示部４６及び液晶ビューファインダ７０には、画像７２をテレ側にズームした画像８０が表示される。また、このとき、画角アシストボタン６８を押下することにより設定された撮影画角よりも望遠側にズームされているため、警告メッセージ８２を表示する。これにより、撮影者は、設定された撮影画角を越えて望遠側にズームさせていることを容易に認識することができる。
【００６０】
次に、本実施の形態の作用として、ＣＰＵ３０で実行される制御ルーチンについて、図４に示すフローチャートを参照して説明する。なお、図４に示すフローチャートは、所定時間毎に実行される。
【００６１】
図４に示すように、ステップ１００では、画角アシストボタン６８が押下されたか否かが判断される。画角アシストボタン６８が押下された場合には、ステップ１００の判断が肯定されてステップ１０２へ移行し、画角アシストボタン６８が押下されていない場合には、ステップ１００の判断が否定されてステップ１０３へ移行する。
【００６２】
ステップ１０２では、画角アシストボタン６８が押下された時の画角、すなわち、液晶ビューファインダ７０及び表示部４６に表示されている画像の画角及び撮影モードがアシストモードであることをメモリ２６に記憶する。
【００６３】
ステップ１０３では、撮影モードが通常モードであることをメモリ２６に記憶する。
【００６４】
ステップ１０４では、ズーム指示が成されたか否か、すなわち、テレズームボタン６６Ｔ又はワイドズームボタン６６Ｗが押下されたか否かが判断される。そして、ズーム指示が成された場合には、ステップ１０４の判断が肯定されてステップ１０６へ移行し、ズーム指示が成されていない場合には、ステップ１０４の判断が否定されて本ルーチンを終了する。
【００６５】
ステップ１０６では、テレズームボタン６６Ｔ又はワイドズームボタン６６Ｗの操作量に応じたズーム処理が行われる。このズーム処理では、撮影モードが通常モードの場合には、テレズームボタン６６Ｔ又はワイドズームボタン６６Ｗの操作量に応じた画角の画像を液晶ビューファインダ７０及び表示部４６に表示させる。すなわち、液晶ビューファインダ７０に表示される画像の画角と表示部４６に表示される画像の画角とは連動し、同一画角となる。
【００６６】
一方、アシストモードの場合には、液晶ビューファインダ７０に表示される画像の画角をメモリ２６に記憶した画角で固定する。この処理は、本発明の固定手段に相当する。また、テレズームボタン６６Ｔ又はワイドズームボタン６６Ｗの操作量に応じた画角の画像を表示部４６に表示させる。なお、設定した撮影画角よりも望遠側にズームした場合には、液晶ビューファインダ７０には、表示部４６に表示された画像と同一の画像が表示される。
【００６７】
ステップ１０８では、撮影モードがアシストモードか否かが判断される。そして、アシストモードが設定されている場合には、ステップ１０８の判断が肯定されてステップ１１０へ移行し、通常モードが設定されている場合には、ステップ１０８の判断が否定されて本ルーチンを終了する。
【００６８】
ステップ１１０では、設定画角よりも広角側にズームされたか否か、すなわち、画角アシストボタン６８を押下することにより設定された画角よりも広角側にズームされたか否かを判断する。そして、設定画角よりも広角側にズームされた場合には、ステップ１１０の判断が肯定され、ステップ１１２へ移行する。一方、設定画角よりも望遠側にズームされた場合には、ステップ１１０の判断が否定され、ステップ１１４へ移行する。
【００６９】
ステップ１１２では、図３に示すようなメモリ２６に記憶した画角を表す画角アシストフレーム７６を表示部４６に表示させる。これにより、撮影者は、画角アシストボタン６８を押下することにより設定した撮影画角の画像の周囲の状況を容易に確認することができる。従って、撮影画角の見直し等、撮影者が適正な画角で撮影するのが容易となる。また、動く被写体を撮影するような場合、画角アシストフレーム７６内に被写体が入ってくるのを容易に確認することができるため、シャッターチャンスを逃してしまうのを防ぐことができる。
【００７０】
一方、ステップ１１４では、警告処理を行う。具体的には、例えば図３に示すように、表示部４６及び液晶ビューファインダ７０に、設定された撮影画角よりも望遠側にズームした画像８０を表示させると共に、警告メッセージ８２を表示する。これにより、撮影者は、設定された撮影画角を越えて望遠側にズームさせていることを容易に認識することができる。なお、ステップ１１４の処理は、本発明の警告手段に相当する。
【００７１】
その後、レリーズボタンが押下された場合には、ＣＣＤ１８で撮像された撮像画像のうち、設定された撮影画角内、すなわち画角アシストボタン６８内の画像を切り出してメモリカード４２に記録する。　なお、設定された撮影画角を越えて望遠側にズームさせている場合には、ＣＣＤ１８で撮像された撮像画像をそのままメモリカード４２に記録する。
【００７２】
アシストモードの解除は、アシストモードの状態でさらに画角アシストボタンが押下された場合に解除するようにしてもよいし、レリーズボタンが押下された場合に自動的に解除されるようにしてもよい。また、アシストモードを解除するための解除ボタンや設定メニューを設けて、これによってアシストモードを解除するようにしてもよい。
【００７３】
なお、本実施の形態では、表示部４６に画角アシストフレーム７６が表示される場合について説明したが、これに限らず、設定された撮影画角内の画像又は撮影画角外の画像に、撮影画角内の画像と撮影画角外の画像とを識別するための画像処理、例えば明るさの度合いを低下させる等の処理を施してもよい。これにより、設定された撮影画角を容易に識別することができる。
【００７４】
また、本実施形態では、ＣＣＤ１８の撮影画像を表示する液晶表示装置を含む電子式の液晶ビューファインダを備えた構成について説明したが、これに限らず、ズームレンズ１４との連動／非連動を切り替えることが可能なファインダ用ズームレンズを含む光学式ファインダを用いてもよい。この場合、画角アシストボタン６８が押下されていない通常モードの場合には、ズームレンズ１４と連動してファインダ用レンズが駆動されるように制御する。これにより、表示部４６に表示される画像の画角と光学式ファインダで視認される画像の画角が連動（一致）する。
【００７５】
一方、画角アシストボタン６８が押下されアシストモードが設定された場合には、ファインダ用ズームレンズがズームレンズ１４と連動しないように、すなわち、テレズームボタン６６Ｔ及びワイドズームボタン６６Ｗが押下されても、ファインダ用ズームレンズが駆動されないように制御する。これにより、光学式ファインダで視認される画像の画角を常に固定することができる。
【００７６】
また、本実施の形態では、画角アシストフレームが表示部４６に表示され、設定した撮影画角の画像が液晶ビューファインダ７０に表示される構成としたが、逆に表示される構成としてもよい。すなわち、画角アシストフレームが液晶ビューファインダ７０に表示され、設定した撮影画角の画像が表示部４６に表示に表示される構成としてもよい。
【００７７】
また、表示部４６の表示と液晶ビューファインダ７０の表示とを入れ替えられるように切り替えボタンを設け、この切替ボタンを押下する毎に、表示部４６の表示と液晶ビューファインダ７０の表示とが入れ替わるように構成してもよい。また、切替ボタンを画角アシストボタンで兼用してもよい。この場合、例えばアシストモードの状態で画角アシストボタンが押下される毎に、表示部４６の表示と液晶ビューファインダ７０の表示とが入れ替わるように制御し、レリーズボタンが押下されることによりアシストモードを解除するようにするか、又は画角アシストボタンが押下される毎に、アシストモードへ移行→表示部４６の表示と液晶ビューファインダ７０の表示との入れ替え→アシストモードの解除を繰り返すように制御すればよい。
【００７８】
【発明の効果】
以上説明したように本発明によれば、容易に所望の画角で適正に撮影することができる、という効果がある。
【図面の簡単な説明】
【図１】本発明の実施の形態に係るデジタルカメラのブロック図である。
【図２】デジタルカメラの背面図である。
【図３】ズームした場合の表示画面の一例を示す図である。
【図４】ＣＰＵで実行される制御ルーチンのフローチャートである。
【符号の説明】
１０　カメラ
１２　撮影光学系
１４　撮影レンズ
１８　ＣＣＤ
２６　メモリ
３０　ＣＰＵ
４２　メモリカード
４６　表示部
５０　操作部
【図１】
2004032524.tif 000003
【図２】
2004032524.tif 000004
【図３】
2004032524.tif 000005
【図４】
2004032524.tif 000006